【事件の表示】
　平成　８年特許願第３１５７７６号「携帯電話機の機能設定装置」拒絶査定不服審判事件〔平成１０年　６月１９日出願公開、特開平１０−１６１８２９〕について、次のとおり審決する。
【結　論】
　本件審判の請求は、成り立たない。
【理　由】
１．手続の経緯
　本願は平成８年１１月２７日の出願であって、平成１５年３月４日付け、及び同年７月３０日付けで手続補正がなされ、平成１６年１月２９日付けで平成１５年７月３０日付け手続補正が却下され、同日付けで拒絶査定がなされた。そして、平成１６年３月４日に拒絶査定に対する審判が請求されるとともに、同年４月２日付けで手続補正がなされたものである。
　
２．平成１６年４月２日付け手続補正について
［補正却下の決定の結論］
　　平成１６年４月２日付け手続補正（以下「本件補正」という。）を却下する。
［理由］
　補正後の本願発明
　本件補正により、特許請求の範囲の請求項１は次のとおり補正された。
「各種機能の中から所望する機能を選択して、該機能の設定画面を表示し、該画面で該機能の設定状態を変更可能とする携帯電話機の機能設定装置において、
　前記各種機能の設定画面は、選択された機能の内容および選択された機能における現在の設定状態を表す上位階層画面と、機能の設定状態を変更するための下位階層画面と、を有する階層構造とし、
　上位階層画面の表示状態で下位階層画面への移行指示がなされたときに、画面表示を上位階層画面から該上位階層画面に対応する下位階層画面に切り替えるとともに、
　上位階層画面の表示状態で機能選択指示がなされるたびに、表示画面を現在表示中とは別の機能の上位階層画面に順次切り替え制御する表示制御手段を設けたことを特徴とする携帯電話機の機能設定装置。」
　上記補正は、請求項１に記載した発明を特定するために必要な事項である「機能設定装置」について「携帯電話機の機能設定装置」と限定し、「前記各種機能の設定画面は、機能の内容および現在の設定状態を表す上位階層画面と機能の設定状態を変更するための下位階層画面を有する階層構造とし、」について、「前記各種機能の設定画面は、選択された機能の内容および選択された機能における現在の設定状態を表す上位階層画面と、機能の設定状態を変更するための下位階層画面と、を有する階層構造とし、」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
　原査定の拒絶の理由に引用された、本願の出願日前に頒布された刊行物「特開平８−１１０７３５号公報」（以下「引用刊行物１」という。）には、図面とともに以下の記載がある。
「【請求項１】  機能と機能内容の表示と選択可能な機能内容の呼び出しを指示する複数の機能ごとに設けた機能表示呼出手段と、１つの機能のみの選択可能な機能内容の表示と該機能内容の選択入力を行なう機能内容表示入力手段と、前記機能表示呼出手段からの呼び出し指示があったとき指示された機能内容の表示を前記機能内容表示入力手段に指示する機能内容表示制御手段と、前記機能内容表示入力手段からの機能内容の選択入力に従い選択した機能内容のみを前記機能表示呼出手段に表示させる機能表示制御手段を具備することを特徴とする表示入力装置。」（第２頁左欄第２〜１２行）
　
「【０００２】
【従来の技術】近年、複写機の操作制御装置としてＣＲＴやＬＣＤの画面を用いるものが一般的になっている。また、複写機の機能が多様化し、それに伴い、操作指示を行なうために必要となるボタン数が増大してきている。また、初心者でも容易に操作を行なえるようにするために、ボタンの近辺に、そのボタンが意味する機能や現在の設定状態を表わす絵文字（アイコン）やメッセージを表示するように配置した画面が主流となってきている。このような表示を行なうためには、多量の表示面積を必要とする。多数の機能をこのようなアイコンやメッセージを付して表示しようとすると、大画面の表示装置が必要となる。しかし、通常の複写機などでは、小型の表示装置を有するのみである。このため、１画面上に全ての機能を表示することが不可能となり、複数枚の画面に機能を分割し、画面表示の切替えを行なうことにより、操作入力を行なっている。さらに、機能内容の設定用画面として、操作手順の分かりやすさを目的として、ポップアップ画面を使用した複写機もある。今後の状況を考えても、さらなる機能の多様化により画面数が大幅に増加していくことが予測される。
【０００３】この場合、複写機の機能をあまり知らず、操作に不慣れなユーザであれば、アイコンやメッセージを利用することにより自分の目的とする機能を探し出すことは容易である。しかし、機能や操作を熟知したユーザにとっては、ボタンの押下回数が増加することにより操作が煩わしくなると同時に、機能設定に時間がかかるという問題がある。
【０００４】ユーザによって画面を変更する装置としては、例えば、特開平４−１０１１７１号公報にも示されている。しかし、この装置では、画面の表示態様をユーザによって変更するのみであり、操作回数、時間の低減は実現できない。
【０００５】
【発明が解決しようとする課題】本発明は、上述した事情に鑑みてなされたもので、機能設定に要する操作回数および時間の低減を実現した表示入力装置および画像形成装置を提供することを目的とするものである。」（第２頁左欄第４３行〜右欄第３０行）
　
「【００１５】図２は、ビギナー向けの操作画面の一例を示す説明図である。図中、２１は機能ボタン、２２は設定状態表示用メッセージ、２３は機能／設定状態表示用アイコン、２４は操作系切換ボタン、２５は画面切換領域である。図２に示した例では、設定可能な複数の操作を基本コピー画面、応用コピー画面、特殊コピー画面の３画面に分割して配置し、これらの画面を切り換えて各機能の設定を行なう。この３つの画面の選択は、画面上部の画面切換領域２５を選択することによって行なうことができる。例えば、「基本コピー」と表示された部分を選択することによって、基本コピー画面を表示させることができる。
【００１６】各画面においては、一番下に機能ボタン２１が配置されており、その上部に各機能の設定状態を示す設定状態表示用メッセージ２２と、機能／設定状態表示用アイコン２３が配置されている。機能ボタン２１に対応する表示において、初期設定状態と同じ設定がなされている機能ボタンは、図２では白く抜いて示し、初期設定状態と違った設定がなされている機能ボタンには右下がりのハッチングを施して示している。設定を変更したい機能に対応する機能ボタン２１を指示することによって、機能の設定を変更することができる。変更された設定状態に従って、設定状態表示用メッセージ２２および機能／設定状態表示用アイコン２３の表示が変更される。
【００１７】このように、ビギナー向けの操作画面では、機能／設定状態表示用アイコン２３等によって、機能や設定状態をわかりやすく表示している。そのため、機能や設定されている状態について熟知していなくても、アイコンなどによってある程度理解を助けることができる。そのため、ビギナーによる設定操作を容易に行なうことができるようにしている。しかし、１つの画面で設定可能な機能が限られているため、ある画面内に設定を変更したい機能が存在しないときには、画面切換領域２５を選択し、他の画面を探すことになる。そのため、いくつかの機能の設定を行なうとき、それらの機能が複数の画面に配置されていると、画面の切り換えが発生し、特にシニアユーザにとっては設定作業が煩雑となる。」（第４頁左欄第１６行〜右欄第４行）
　
「【００５８】
【発明の効果】以上の説明から明らかなように、本発明によれば、専門コピー画面による機能設定を行なうことによって、ユーザは多数の画面を切り換えて所望の機能設定を探す操作を行なうことなく、従来より少ない指示操作で所望する機能内容の選択を行なうことができる。また、他の機能内容の選択に移行する場合でも、機能を指示するだけである。このように、必要最低限の指示入力によって機能設定を行なうことが可能となり、機能設定のための所要時間を低減することができるという効果がある。」（第９頁左欄第２９〜３９行）
　
　図２によれば、機能ボタン２１には機能の内容（トレイ、濃度、原稿タイプ、拡大／縮小等）が表示されており、また、図２及び段落【００１６】、【００１７】の記載から、設定状態表示用メッセージ２２及び機能設定表示用アイコンには現在の設定状態が表示されているものと認められる。
　
　これらの記載から、引用刊行物１には以下の発明（以下、「引用発明」という。）が記載されているものと認められる。
「設定可能な複数の機能ごとに設けた選択可能な機能内容（基本コピー画面、応用コピー画面、特殊コピー画面）の呼出を指示する機能表示呼出手段（画面領域上部の画面切換領域２５）と、現在の設定状態を表示する設定状態表示用メッセージ２２及び機能／設定表示用アイコン２３と機能の内容を表示し機能内容の選択入力を行う機能ボタン２１とからなる操作画面を有する表示入力装置。」
　
　同じく、原査定の拒絶の理由に引用された、本願の出願日前に頒布された刊行物「特開平８−２５１３７３号公報」（以下「引用刊行物２」という。）には、図面とともに以下の記載がある。
「【００１０】
【発明が解決しようとする課題】上記したように、画像形成装置は多機能化してきているため、従来以上に細かく制御内容を設定する必要が発生してきている。しかしながら、上記従来の画像形成装置においては、装置全体が大型化する一方で、原稿を置く面積を多く取る必要があるため、上記操作パネルに当てるスペースが非常に限られている。このため、複雑な動作の設定を行うときには複雑な操作行動が必要となるので、時間と手間がかかる。この結果、長時間、その画像形成装置を動作させずに占有することになり、作業効率が悪いという問題がある。また、手間が多く、設定作業が困難であるという問題がある。」（第３頁右欄第４２行〜第４頁左欄第４行）
　
「【００８３】（２）携帯端末装置の構成
次に、携帯端末装置の構成を説明する。図５に示すように、本実施例のデジタル複写機に用いられる携帯端末装置７０は手帳型であり、端末装置本体７１を備えている。本携帯端末装置７０は、画像形成を制御するための制御情報を複写機本体１に転送することができる。
【００８４】端末装置本体７１は、開閉可能な蓋７２および液晶表示するためのタッチパネル７３（遠隔画像情報発生手段）を備えている。タッチパネル７３からの入力は、入力ペン７４によって行われるようになっている。タッチパネル７３には、複写機本体１を制御するときに操作する複写機コントロールキー７５等が表示されるようになっており、図１ないし図４にて説明した複写機本体１の制御を行う際には、この複写機コントロールキー７５を入力ペン７４で押し下げることで制御処理が開始される。この制御に際しては、端末装置本体７１に設けられたＩＲ発受光部７６（第１転送手段、画像転送手段）を介して光データによる通信が用いられる。なお、端末装置本体７１上面には、その他の特殊動作を行う場合に使用されるボタン群７７が備えられている。」（第９頁左欄第４４行〜右欄第１３行）
　
「【００８６】次に、携帯端末装置７０のタッチパネル７３の表示状態について説明する。図７に示すように、表示状態の第１階層においては、テンキー１００や、コピー枚数や現在のコピーの状態等を表示する表示部１０１、コピー画質・用紙カセット等を選択するための基本設定キー１０２、倍率設定のための倍率設定キー１０３、白黒反転等特殊なモードを設定するための特殊モード設定キー１０４、表裏反転機構７やソータ６等のオプション機能の動作を設定するためのオプション設定キー１０５、さらに、中止キー１０６、これらのデータを複写機本体１に転送するための送信キー１０７が表示される。
【００８７】上記の各種キー１０１〜１０４はコピー条件を設定するためのキーであり、これらのキー１０１〜１０４によって設定されたコピー条件が送信キー１０７の操作によって複写機本体１へと転送される。中止キー１０６は、携帯端末装置７０による複写機本体１の条件設定を中断するためのキーである。なお、携帯端末装置７０での入力状態や、複写機本体１から送信された複写機本体１の状態等は、表示部１０１に表示される。
【００８８】基本設定キー１０２、倍率設定キー１０３、特殊モード設定キー１０４、およびオプション設定キー１０５は、それぞれ下位の階層を有するモードを設定するキーであり、これらのキー操作に対応するモードを設定するためには、それぞれ下位の階層の条件設定が必要となる。したがって、これらのキー１０２〜１０５のいずれかが操作された場合には、携帯端末装置７０のタッチパネル７３は、後述するように、下位階層（第２階層以後）の条件設定画面に切り替わる。
【００８９】すなわち、図８に示すように、基本設定キー１０２のキー操作により基本モード設定状態となったときは、第２階層用の表示として、中止キー１０６や、第１階層に戻るための戻りキー１０８の他に、コピー画質を選択するための画質選択キー１０９、手差しトレイ９、給紙カセット８、５ａ、５ｂ、５ｃのいずれかを選択するためのトレイ選択キー１１０、画像濃度のマニュアル設定／自動設定を選択するための濃度設定モード選択キー１１１、濃度設定キー１１２を表示する。画質選択キー１０９およびトレイ選択キー１１０は、複数のキーのうち一つを操作することで希望する状態を選択するもので、各キー部分は選択状態の表示エリアも兼ねている。そして、操作されたキー部分の表示色が変わるようになっている。また、濃度設定モード選択キー１１１は、キー操作毎にマニュアル／自動設定が切り替わるようになっており、その状態が該キー部分に表示される。さらに、濃度設定キー１１２は、押し下げによって濃度段階が切り替わり、その段階が表示される。
【００９０】また、図９に示すように、オプション設定キー１０５の操作によりオプションモード設定状態となったときは、第２階層用の表示として、中止キー１０６や、第１階層に戻るための戻りキー１０８の他に、表裏反転機構７を用いた両面／片面コピーモードの設定を行う両面／片面コピーモード設定キー１１３、ソータ６の使用モードを設定するソータモード設定キー１１４等を表示する。両面／片面コピーモード設定キー１１３およびソータモード設定キー１１４は、複数のキーのうち一つを操作することで希望する状態を選択するもので、各キー部分は選択状態の表示エリアも兼ねている。そして、操作されたキー部分の表示色が変わるようになっている。」（第９頁右欄第３２行〜第１０頁左欄第４１行）
　
　段落【００８６】及び図７によれば、第１階層（上位階層）の表示である図７には、例えば基本キー１０２について、画質選択、トレイ選択、濃度の各項目についてそれぞれ、画質選択が混在モードであり、トレー選択がＡ４であり、濃度がＭａｎｕａｌ５であることが表示されており、倍率キー（１０３）、特殊キー（１０４）、オプションキー（１０５）にもそれぞれ項目とその内容が表示されているから、図７の各種キー１０２〜１０５には現在の設定状態が表示されているものと認められる。
　
（２）対比
　本願補正発明と引用発明を対比すると、
　引用発明の「操作画面」は機能の内容と機能の現在の設定状態を表示し、機能の設定状態を変更することができるから、本願補正発明の「機能設定画面」に相当し、引用発明の「表示入力装置」は機能設定画面（操作画面）を表示し、機能の設定状態を変更可能であるから本願補正発明の「機能設定装置」に相当する。
　また、引用発明は本願補正発明と同様に、機能表示呼出手段により、各種機能の中から所望する現在表示中とは別の機能の画面を選択して切り替え（例えば基本コピーの機能の画面から応用コピーの画面に切り替える。）、該機能の設定画面を表示することができる。したがって、引用発明の「機能表示呼出手段」は本願補正発明の表示画面を現在表示中とは別の機能の画面に切り替え制御する「表示制御手段」に相当する。
　
　したがって、両者は
「各種機能の中から所望する機能を選択して、該機能の設定画面を表示し、該画面で該機能の設定状態を変更可能とする機能設定装置において、
　前記各種機能の設定画面は、選択された機能の内容および選択された機能における現在の設定状態と、機能の設定状態を変更するための画面を有し、
　機能選択指示がなされると表示画面を現在表示中とは別の機能の画面に切り替え制御する表示制御手段を設けた機能設定装置。」の点で一致し、以下の点で相違している。
　
相違点１
　本願補正発明は、各種機能の中から所望する機能を選択して、該機能の設定画面を表示し、該画面で該機能の設定状態を変更可能としているのに対して、引用発明も各種機能の中から所望する機能を選択して、該機能の設定画面を表示し、該画面で該機能の設定状態を変更可能であるが、引用発明では選択される機能は複数の機能である点。
　
相違点２
　本願補正発明の各種機能の設定画面は階層構造を有しており、各種機能の設定画面は、選択された機能の内容および選択された機能における現在の設定状態を表す上位階層画面と、機能の設定状態を変更するための下位階層画面とを有し、上位階層画面の表示状態で下位階層画面への移行指示がなされたときに、画面表示を上位階層画面から該上位階層画面に対応する下位階層画面に切り替えるとともに、上位階層画面の表示状態で機能選択指示がなされるたびに、表示画面を現在表示中とは別の機能の上位階層画面に順次切り替え制御する表示制御手段を有しているのに対して、引用発明の設定画面は階層構造を有しておらず、引用発明は表示画面を切り替え制御する表示制御手段を有しているが、表示制御手段は上位階層画面の表示状態で下位階層画面への移行指示がなされたときに、画面表示を上位階層画面から該上位階層画面に対応する下位階層画面に切り替えるとともに、上位階層画面の表示状態で機能選択指示がなされるたびに、表示画面を現在表示中とは別の機能の上位階層画面に順次切り替え制御するものではない点。
　
相違点３
　本願補正発明は携帯電話の機能設定装置であるのに対して、引用発明の機能設定装置は携帯電話の機能設定装置ではない点。
　
（３）当審の判断
　以下、上記相違点について検討する。
　
相違点１について
　本願補正発明では、「所望の機能を選択」、「該機能の設定画面を表示」について、「所望の機能」、「該機能」が単一の機能であると規定されているわけではなく、引用発明も、所望の機能を選択して該機能の設定画面を表示する点で本願補正発明と実質的に相違するところはない。なお、この点、仮に、本願補正発明の「所望の機能」、「該機能」が単一の機能を意味するとしても、機能等を選択する画面において複数の機能を表示するか、単一の機能を表示するかは設計的事項に過ぎず、引用発明において単一の「所望の機能を選択」、「該機能の設定画面を表示」する構成を採用することに格別の困難性はない。（なお、特開平６−７５７３２号公報（以下、「周知刊行物」という。）段落【００１５】図４，図５にも機能設定画面において単一の機能を選択し表示することが記載されている。）
　
相違点２について
　一般に機能設定画面を階層構造とすることは本願明細書（段落【０００２】）にも従来例として記載され、引用刊行物２（段落【００８８】、【００８９】図７、図８）、上記周知刊行物（段落【００１４】、【００１５】図４，図５）に記載されているように周知である。また、階層構造の画面において所定の階層内で順次表示を切り替えることも上記周知刊行物（段落【００１４】図４）に記載されているように周知である。
　そして、引用刊行物２には、機能設定画面を階層構造で構成し、機能の内容及び機能の現在の設定状態を表す上位階層画面（１０２〜１０５）と、機能の設定状態を変更するための下位階層画面（基本設定画面（図８）、オプション設定画面（図９）等）とを有し、上位階層画面の表示状態から画面表示を所定の下位階層画面に切り替えることが記載されているから、引用発明に記載された機能設定画面に引用刊行物２に記載された階層構造を階層内で順次表示を切り替える周知技術と共に適用して本願補正発明の構成とすることは当業者が容易に想到し得ることである。
　
相違点３について
　引用刊行物１の発明の詳細な説明には産業上の利用分野として、電子複写機や記録装置などの画像形成装置において機能設定を行うための表示入力装置であることが記載され、実施例も画像形成装置について記載されているが、特許請求の範囲には、特に対象とする機器を限定しない表示入力装置が記載されているから、引用刊行物１には引用発明の機能設定装置（表示入力装置）を画像形成装置に限定することなく他の機器にも適用できることが示唆されているということができる。また、一般的に、機器の表示画面の表示内容は機器固有のものであるとしても、階層構造等の表示態様は他の機器においても利用できることは明らかである。
　そして、携帯電話において機能設定を行うことも周知である。
　したがって、引用発明の機能設定装置を周知の携帯電話の機能設定に適用して本願補正発明の構成とすることは当業者が容易になし得ることである。
　
　なお、審判請求人は審判請求理由（平成１６年４月２日付け手続補正書、「４．本願発明と引用発明との対比」（ｈ）〜（ｊ）の項）において、引用文献１、２の画像形成装置の場合、設定項目数は携帯電話機に比較して格段に少なく、適宜切り替える必要のある項目も限られており、画像形成装置の機能設定は携帯電話とは異なっていることから、引用文献１及び引用文献２を組み合わせる必然性はなく、仮に両者を組み合わせたとしても、これを、さらに携帯電話機の機能設定に適用することは、本願独自の課題である、設定項目が非常に多いといった携帯電話機特有の課題に何ら着目していない限り、当業者でも容易に想到し得るものではない旨主張している。
　しかしながら、引用発明に引用刊行物２及び周知技術を適用して本願補正発明の構成とすることが容易であることは上記のとおりである。
　また、本願補正発明は、本願明細書の記載（本願明細書、段落【０００４】）によれば、装置本体の大型化を招くことなく、使用者における簡単な操作で且つ短時間で各種機能の設定状態を確認及び変更を行うことができる機能設定装置を提供することを目的としているところ、引用発明も段落【０００２】、【００１０】に記載されている様に、機器の機能が多様化する中、小型の表示器で必要最低限の指示入力で短時間で機能設定を行うことができるものであって、また、引用刊行物２も、従来よりも細かく制御内容を設定する必要があり、限られたスペースで、設定作業に時間と手間がかかるという課題（段落【００１０】）を有しているものであって、引用発明、引用刊行物２ともに、審判請求人が主張する設定項目が多いという本願補正発明（もっとも、本願補正発明で実施例として具体的に示されている（大分類「音の設定」に関する）設定項目は３個（ボタン確認音、バイブレータ、着信音量設定）に過ぎない。）と同様の課題に基づいてなされたものであって、この点で、本願補正発明と引用発明及び引用刊行物２との間に格別の相違があるということはできない。
　
　したがって、本願補正発明（請求項１に係る発明）は、引用発明、引用刊行物２及び周知技術に基づいて当業者が容易に発明をすることができたものである。
　
（４）むすび
　以上のとおりであるから、その余の請求項について論及するまでもなく、本件補正は特許法第１７条の２第５項で準用する同法第１２６条第５項の規定に違反するものであり、特許法第１５９条第１項で準用する特許法第５３条第１項の規定により却下すべきものである。
　
３．本願発明について
　平成１６年４月２日付け手続補正は上記のとおり却下されたので、本願の請求項１に係る発明（以下、「本願発明」という。）は、平成１５年３月４日付け手続補正書の特許請求の範囲の請求項１に記載された事項により特定される、以下のとおりのものである。
「各種機能の中から所望の機能を選択して、該機能の設定画面を表示し、該画面で該機能の設定状態を変更可能とする機能設定装置において、
　前記各種機能の設定画面は、機能の内容および現在の設定状態を表す上位階層画面と機能の設定状態を変更するための下位階層画面を有する階層構造とし、
　上位階層画面の表示状態で下位階層画面への移行指示がなされたときに、画面表示を上位階層画面から該上位階層画面に対応する下位階層画面に切り替えるとともに、
　上位階層画面の表示状態で機能選択指示がなされるたびに、表示画面を現在表示中とは別の機能の上位階層画面に順次切り替え制御する表示制御手段を設けたことを特徴とする機能設定装置。」
　
（１）引用刊行物
　原査定の拒絶の理由に引用された引用刊行物及びその記載事項は、前記「２．（１）」に記載したとおりである。
　
（２）対比・判断
　本願発明は、前記２．で検討した本願補正発明の「機能設定装置」について「携帯電話機の機能設定装置」とし、「前記各種機能の設定画面は、機能の内容および現在の設定状態を表す上位階層画面と機能の設定状態を変更するための下位階層画面を有する階層構造とし、」について「前記各種機能の設定画面は、選択された機能の内容および選択された機能における現在の設定状態を表す上位階層画面と、機能の設定状態を変更するための下位階層画面と、を有する階層構造とし、」とする限定を削除するものである。
　そうすると、本願発明の構成要件を全て含みさらに限定を付したものに相当する本願補正発明が、前記「２．（３）」に記載したとおり、引用発明、引用刊行物２及び周知技術に基づいて、当業者が容易に発明をすることができたものであるから、本願発明も、同様の理由により、引用発明、引用刊行物２及び周知技術に基づいて、当業者が容易に発明をすることができたものである。
　
（３）むすび
　以上のとおり、本願発明（請求項１に係る発明）は、引用発明、引用刊行物２及び周知技術に基づいて当業者が容易に発明をすることができたものである。
　したがって、本願はその余の請求項について論及するまでもなく、特許法第２９条第２項の規定により特許を受けることができない。
　よって、結論のとおり審決する。